【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
発光要素と制御要素とを有する発光装置であって、
少なくとも、発光要素として青色半導体発光素子を有し、
波長をλ（ｎｍ）とし、
当該発光要素から主たる放射方向に出射される光の分光分布をΦｅｌｍ（λ）、当該発光装置から主たる放射方向に出射される光の分光分布をφＳＳＬ（λ）とし、
Φｅｌｍ（λ）を有する光は下記条件Ｉ、条件ＩＩ、条件ＩＶの少なくともいずれかを満たさず、φＳＳＬ（λ）を有する光は下記条件Ｉ、条件ＩＩ、条件ＩＶのすべてを満たすことを特徴とする発光装置。
条件Ｉ：
対象となる光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎ、ｂ＊ｎ（ただしｎは１から１５の自然数）とし、
対象となる光の相関色温度Ｔ（Ｋ）に応じて選択される基準の光での照明を数学的に仮定した場合の前記１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、飽和度差ΔＣｎが、
−４．００  ≦  ΔＣｎ  ≦  ８．００  （ｎは１から１５の自然数）
である。
条件ＩＩ：
下記式（３）で表される対象となる光における飽和度差の平均が、
【数１】
2018156956.tif 000001
【数２】
2018156956.tif 000002
である。
ただし、ΔＣｎ＝√｛（ａ＊ｎ）２＋（ｂ＊ｎ）２｝−√｛（ａ＊ｎｒｅｆ）２＋（ｂ＊ｎｒｅｆ）２｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
対象となる光による照明を数学的に仮定した場合の前記１５種類の修正マンセル色票のＣＩＥ  １９７６  Ｌ＊ａ＊ｂ＊色空間における色相角をθｎ（度）（ただしｎは１から１５の自然数）とし、
対象となる光の相関色温度Ｔに応じて選択される基準の光での照明を数学的に仮定した場合の前記１５種類の修正マンセル色票のＣＩＥ  １９７６  Ｌ＊ａ＊ｂ＊色空間における色相角をθｎｒｅｆ（度）（ただしｎは１から１５の自然数）とした場合に、色相角差の絶対値｜Δｈｎ｜が、
０．００  度  ≦  ｜Δｈｎ｜  ≦  １２．５０  度  （ｎは１から１５の自然数）
である。
ただし、Δｈｎ＝θｎ−θｎｒｅｆとする。
【請求項２】
発光要素と制御要素とを有する発光装置であって、
少なくとも、発光要素として青色半導体発光素子を有し、
波長をλ（ｎｍ）とし、
当該発光要素から主たる放射方向に出射される光の分光分布をΦｅｌｍ（λ）、当該発光装置から主たる放射方向に出射される光の分光分布をφＳＳＬ（λ）とし、
Φｅｌｍ（λ）を有する光は下記条件Ｉ、条件ＩＩ、条件ＩＶのすべてを満たし、φＳＳＬ（λ）を有する光も下記条件Ｉ、条件ＩＩ、条件ＩＶのすべてを満たすことを特徴とする発光装置。
条件Ｉ：
対象となる光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎ、ｂ＊ｎ（ただしｎは１から１５の自然数）とし、
対象となる光の相関色温度Ｔ（Ｋ）に応じて選択される基準の光での照明を数学的に仮定した場合の前記１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、飽和度差ΔＣｎが、
−４．００  ≦  ΔＣｎ  ≦  ８．００  （ｎは１から１５の自然数）
である。
条件ＩＩ：
下記式（３）で表される対象となる光における飽和度差の平均が、
【数３】
2018156956.tif 000003
【数４】
2018156956.tif 000004
である。
ただし、ΔＣｎ＝√｛（ａ＊ｎ）２＋（ｂ＊ｎ）２｝−√｛（ａ＊ｎｒｅｆ）２＋（ｂ＊ｎｒｅｆ）２｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
対象となる光による照明を数学的に仮定した場合の前記１５種類の修正マンセル色票のＣＩＥ  １９７６  Ｌ＊ａ＊ｂ＊色空間における色相角をθｎ（度）（ただしｎは１から１５の自然数）とし、
対象となる光の相関色温度Ｔに応じて選択される基準の光での照明を数学的に仮定した場合の前記１５種類の修正マンセル色票のＣＩＥ  １９７６  Ｌ＊ａ＊ｂ＊色空間における色相角をθｎｒｅｆ（度）（ただしｎは１から１５の自然数）とした場合に、色相角差の絶対値｜Δｈｎ｜が、
０．００  度  ≦  ｜Δｈｎ｜  ≦  １２．５０  度  （ｎは１から１５の自然数）
である。
ただし、Δｈｎ＝θｎ−θｎｒｅｆとする。
【請求項３】
請求項１又は２に記載の発光装置であって、
Φｅｌｍ（λ）を有する光は下記条件１を満たさず、φＳＳＬ（λ）を有する光は下記条件１を満たすことを特徴とする発光装置。
条件１：
対象となる光の分光分布をφ（λ）、対象となる光の相関色温度Ｔに応じて選択される基準の光の分光分布をφｒｅｆ（λ）、
対象となる光の三刺激値を（Ｘ、Ｙ、Ｚ）、
前記相関色温度Ｔに応じて選択される基準の光の三刺激値を（Ｘｒｅｆ、Ｙｒｅｆ、Ｚｒｅｆ）とし、
対象となる光の規格化分光分布Ｓ（λ）と、対象となる光の基準の光の規格化分光分布Ｓｒｅｆ（λ）と、これら規格化分光分布の差ΔＳ（λ）をそれぞれ、
Ｓ（λ）＝φ（λ）／Ｙ
Ｓｒｅｆ（λ）＝φｒｅｆ（λ）／Ｙｒｅｆ
ΔＳ（λ）＝Ｓｒｅｆ（λ）−Ｓ（λ）
と定義し、
波長３８０ｎｍ以上７８０ｎｍ以下の範囲で、前記Ｓ（λ）の最長波長極大値を与える波長をλＲＬ−ｍａｘ（ｎｍ）とした際に、前記λＲＬ−ｍａｘよりも長波長側にＳ（λＲＬ−ｍａｘ）／２となる波長Λ４が存在する場合においては、
下記数式（１）で表される指標Ａｃｇが、
−１０．０  ＜  Ａｃｇ  ≦  １２０．０
であり、
一方、波長３８０ｎｍ以上７８０ｎｍ以下の範囲で、前記Ｓ（λ）の最長波長極大値を与える波長をλＲＬ−ｍａｘ（ｎｍ）とした際に、前記λＲＬ−ｍａｘよりも長波長側にＳ（λＲＬ−ｍａｘ）／２となる波長Λ４が存在しない場合においては、
下記数式（２）で表される指標Ａｃｇが、
−１０．０  ＜  Ａｃｇ  ≦  １２０．０
である。
【数５】
2018156956.tif 000005
【数６】
2018156956.tif 000006
【請求項４】
請求項１又は２に記載の発光装置であって、
Φｅｌｍ（λ）を有する光は下記条件１を満たし、φＳＳＬ（λ）を有する光も下記条件１を満たすことを特徴とする発光装置。
条件１：
対象となる光の分光分布をφ（λ）、対象となる光の相関色温度Ｔに応じて選択される基準の光の分光分布をφｒｅｆ（λ）、
対象となる光の三刺激値を（Ｘ、Ｙ、Ｚ）、
前記相関色温度Ｔに応じて選択される基準の光の三刺激値を（Ｘｒｅｆ、Ｙｒｅｆ、Ｚｒｅｆ）とし、
対象となる光の規格化分光分布Ｓ（λ）と、対象となる光の基準の光の規格化分光分布Ｓｒｅｆ（λ）と、これら規格化分光分布の差ΔＳ（λ）をそれぞれ、
Ｓ（λ）＝φ（λ）／Ｙ
Ｓｒｅｆ（λ）＝φｒｅｆ（λ）／Ｙｒｅｆ
ΔＳ（λ）＝Ｓｒｅｆ（λ）−Ｓ（λ）
と定義し、
波長３８０ｎｍ以上７８０ｎｍ以下の範囲で、前記Ｓ（λ）の最長波長極大値を与える波長をλＲＬ−ｍａｘ（ｎｍ）とした際に、前記λＲＬ−ｍａｘよりも長波長側にＳ（λＲＬ−ｍａｘ）／２となる波長Λ４が存在する場合においては、
下記数式（１）で表される指標Ａｃｇが、
−１０．０  ＜  Ａｃｇ  ≦  １２０．０
であり、
一方、波長３８０ｎｍ以上７８０ｎｍ以下の範囲で、前記Ｓ（λ）の最長波長極大値を与える波長をλＲＬ−ｍａｘ（ｎｍ）とした際に、前記λＲＬ−ｍａｘよりも長波長側にＳ（λＲＬ−ｍａｘ）／２となる波長Λ４が存在しない場合においては、
下記数式（２）で表される指標Ａｃｇが、
−１０．０  ＜  Ａｃｇ  ≦  １２０．０
である。
【数７】
2018156956.tif 000007
【数８】
2018156956.tif 000008
【請求項５】
請求項１〜４のいずれか１項に記載の発光装置であって、
Φｅｌｍ（λ）を有する光は下記条件２を満たさず、φＳＳＬ（λ）を有する光は下記条件２を満たすことを特徴とする発光装置。
条件２：
対象となる光の分光分布φ（λ）は、ＡＮＳＩ  Ｃ７８．３７７で定義される黒体放射軌跡からの距離Ｄｕｖが、
−０．０２２０  ≦  Ｄｕｖ  ＜  ０
である。
【請求項６】
請求項１〜４のいずれか１項に記載の発光装置であって、
Φｅｌｍ（λ）を有する光は下記条件２を満たし、φＳＳＬ（λ）を有する光も下記条件２を満たすことを特徴とする発光装置。
条件２：
対象となる光の分光分布φ（λ）は、ＡＮＳＩ  Ｃ７８．３７７で定義される黒体放射軌跡からの距離Ｄｕｖが、
−０．０２２０  ≦  Ｄｕｖ  ＜  ０
である。
【請求項７】
請求項１〜６のいずれか１項に記載の発光装置であって、
Φｅｌｍ（λ）を有する光は下記条件３を満たさず、φＳＳＬ（λ）を有する光は下記条件３を満たすことを特徴とする発光装置。
条件３：
対象となる光の分光分布φ（λ）は、４３０ｎｍ以上４９５ｎｍ以下の範囲における分光強度の最大値をφＢＭ−ｍａｘ、４６５ｎｍ以上５２５ｎｍ以下の範囲における分光強度の最小値をφＢＧ−ｍｉｎと定義した際に、
０．２２５０  ≦  φＢＧ−ｍｉｎ／φＢＭ−ｍａｘ  ≦  ０．７０００
である。
【請求項８】
請求項１〜６のいずれか１項に記載の発光装置であって、
Φｅｌｍ（λ）を有する光は下記条件３を満たし、φＳＳＬ（λ）を有する光も下記条件３を満たすことを特徴とする発光装置。
条件３：
対象となる光の分光分布φ（λ）は、４３０ｎｍ以上４９５ｎｍ以下の範囲における分光強度の最大値をφＢＭ−ｍａｘ、４６５ｎｍ以上５２５ｎｍ以下の範囲における分光強度の最小値をφＢＧ−ｍｉｎと定義した際に、
０．２２５０  ≦  φＢＧ−ｍｉｎ／φＢＭ−ｍａｘ  ≦  ０．７０００
である。
【請求項９】
請求項１〜８のいずれか１項に記載の発光装置であって、
Φｅｌｍ（λ）を有する光は下記条件４を満たさず、φＳＳＬ（λ）を有する光は下記条件４を満たすことを特徴とする発光装置。
条件４：
対象となる光の分光分布φ（λ）は、５９０ｎｍ以上７８０ｎｍ以下の範囲における分光強度の最大値をφＲＭ−ｍａｘと定義した際に、前記φＲＭ−ｍａｘを与える波長λＲＭ−ｍａｘが、
６０５（ｎｍ）  ≦  λＲＭ−ｍａｘ  ≦  ６５３（ｎｍ）
である。
【請求項１０】
請求項１〜８のいずれか１項に記載の発光装置であって、
Φｅｌｍ（λ）を有する光は下記条件４を満たし、φＳＳＬ（λ）を有する光も下記条件４を満たすことを特徴とする発光装置。
条件４：
対象となる光の分光分布φ（λ）は、５９０ｎｍ以上７８０ｎｍ以下の範囲における分光強度の最大値をφＲＭ−ｍａｘと定義した際に、前記φＲＭ−ｍａｘを与える波長λＲＭ−ｍａｘが、
６０５（ｎｍ）  ≦  λＲＭ−ｍａｘ  ≦  ６５３（ｎｍ）
である。
【請求項１１】
請求項１〜１０のいずれか１項のいずれか１項に記載の発光装置であって、
Φｅｌｍ（λ）を有する光は下記条件５を満たさず、φＳＳＬ（λ）を有する光は下記条件５を満たすことを特徴とする発光装置。
条件５：
対象となる光の分光分布φ（λ）において、前記φＢＭ−ｍａｘを与える波長λＢＭ−ｍａｘが、
４３０（ｎｍ）  ≦  λＢＭ−ｍａｘ  ≦  ４８０（ｎｍ）
である。
【請求項１２】
請求項１〜１０のいずれか１項のいずれか１項に記載の発光装置であって、
Φｅｌｍ（λ）を有する光は下記条件５を満たし、φＳＳＬ（λ）を有する光も下記条件５を満たすことを特徴とする発光装置。
条件５：
対象となる光の分光分布φ（λ）において、前記φＢＭ−ｍａｘを与える波長λＢＭ−ｍａｘが、
４３０（ｎｍ）  ≦  λＢＭ−ｍａｘ  ≦  ４８０（ｎｍ）
である。
【請求項１３】
請求項１〜１２のいずれか１項に記載の発光装置であって、
当該発光要素から主たる放射方向に出射される光の分光分布から導出される前記飽和度差の平均をＳＡＴａｖｅ（Φｅｌｍ）、
当該発光装置から主たる放射方向に出射される光の分光分布から導出される前記飽和度差の平均をＳＡＴａｖｅ（φＳＳＬ）と定義した場合に、
ＳＡＴａｖｅ（Φｅｌｍ）＜ＳＡＴａｖｅ（φＳＳＬ）
を満たすことを特徴とする発光装置。
【請求項１４】
請求項５〜１３のいずれか１項に記載の発光装置であって、
当該発光要素から主たる放射方向に出射される光の分光分布から導出されるＤｕｖをＤｕｖ（Φｅｌｍ）、
当該発光装置から主たる放射方向に出射される光の分光分布から導出されるＤｕｖをＤｕｖ（φＳＳＬ）と定義した場合に、
Ｄｕｖ（φＳＳＬ）＜Ｄｕｖ（Φｅｌｍ）
を満たすことを特徴とする発光装置。
【請求項１５】
請求項３〜１４のいずれか１項に記載の発光装置であって、
当該発光要素から主たる放射方向に出射される光の分光分布から導出されるＡｃｇをＡｃｇ（Φｅｌｍ）、
当該発光装置から主たる放射方向に出射される光の分光分布から導出されるＡｃｇをＡｃｇ（φＳＳＬ）と定義した場合に、
Ａｃｇ（φＳＳＬ）＜Ａｃｇ（Φｅｌｍ）
を満たすことを特徴とする発光装置。
【請求項１６】
請求項１〜１５のいずれか１項に記載の発光装置であって、
当該制御要素は３８０ｎｍ≦λ（ｎｍ）≦７８０ｎｍの光を吸収または反射する光学フィルターであることを特徴とする発光装置。
【請求項１７】
請求項１〜１６のいずれか１項に記載の発光装置であって、
当該制御要素が発光要素から出射される光の集光および／または拡散機能を兼ね備えていることを特徴とする発光装置。
【請求項１８】
請求項１７に記載の発光装置であって、
当該制御要素の集光および／または拡散機能が凹レンズ、凸レンズ、フレネルレンズの少なくとも１つの機能によって実現することを特徴とする発光装置。
【請求項１９】
請求項１〜１８のいずれか１項に記載の発光装置であって、
前記発光装置から当該放射方向に出射される光が対象物を照明する照度が５ｌｘ以上１００００ｌｘ以下であることを特徴とする発光装置。
【請求項２０】
請求項１〜１９のいずれか１項に記載の発光装置であって、
Φｅｌｍ（λ）を有する光は下記条件６を満たさず、φＳＳＬ（λ）を有する光は下記条件６を満たすことを特徴とする発光装置。
条件６：
対象となる光の分光分布φ（λ）は
０．１８００  ≦  φＢＧ−ｍｉｎ／φＲＭ−ｍａｘ  ≦  ０．８５００
である。
【請求項２１】
請求項１〜２０のいずれか１項に記載の発光装置であって、
Φｅｌｍ（λ）を有する光は下記条件７を満たさず、φＳＳＬ（λ）を有する光は下記条件７を満たすことを特徴とする発光装置。
条件７：
対象となる光の分光分布φ（λ）から導出される波長３８０ｎｍ以上７８０ｎｍ以下の範囲の放射効率Ｋ（ｌｍ／Ｗ）が
２１０．０  ｌｍ／Ｗ  ≦  Ｋ  ≦  ２９０．０  ｌｍ／Ｗ
である。
【請求項２２】
請求項１〜２１のいずれか１項に記載の発光装置であって、
Φｅｌｍ（λ）を有する光は下記条件８を満たさず、φＳＳＬ（λ）を有する光は下記条件８を満たすことを特徴とする発光装置。
条件８：
対象となる光の相関色温度Ｔ（Ｋ）が
２６００  Ｋ  ≦  Ｔ  ≦  ７７００  Ｋ
である。
【請求項２３】
請求項２０に記載の発光装置であって、
Φｅｌｍ（λ）を有する光は下記条件５、条件７、及び条件８の少なくとも１つを満たし、φＳＳＬ（λ）を有する光は下記条件５、条件７、及び条件８のうち前記Φｅｌｍ（λ）を有する光が満たさない条件があれば、そのうち少なくとも１つを満たすことを特徴とする発光装置。
条件５：
対象となる光の分光分布φ（λ）において、前記φＢＭ−ｍａｘを与える波長λＢＭ−ｍａｘが、
４３０（ｎｍ）  ≦  λＢＭ−ｍａｘ  ≦  ４８０（ｎｍ）
である。
条件７：
対象となる光の分光分布φ（λ）から導出される波長３８０ｎｍ以上７８０ｎｍ以下の範囲の放射効率Ｋ（ｌｍ／Ｗ）が
２１０．０  ｌｍ／Ｗ  ≦  Ｋ  ≦  ２９０．０  ｌｍ／Ｗ
である。
条件８：
対象となる光の相関色温度Ｔ（Ｋ）が
２６００  Ｋ  ≦  Ｔ  ≦  ７７００  Ｋ
である。
【請求項２４】
請求項２１に記載の発光装置であって、
Φｅｌｍ（λ）を有する光は下記条件５、条件６、及び条件８の少なくとも１つを満たし、φＳＳＬ（λ）を有する光は下記条件５、条件６、及び条件８のうち前記Φｅｌｍ（λ）を有する光が満たさない条件があれば、そのうち少なくとも１つを満たすことを特徴とする発光装置。
条件５：
対象となる光の分光分布φ（λ）において、前記φＢＭ−ｍａｘを与える波長λＢＭ−ｍａｘが、
４３０（ｎｍ）  ≦  λＢＭ−ｍａｘ  ≦  ４８０（ｎｍ）
である。
条件６：
対象となる光の分光分布φ（λ）は
０．１８００  ≦  φＢＧ−ｍｉｎ／φＲＭ−ｍａｘ  ≦  ０．８５００
である。
条件８：
対象となる光の相関色温度Ｔ（Ｋ）が
２６００  Ｋ  ≦  Ｔ  ≦  ７７００  Ｋ
である。
【請求項２５】
請求項２２に記載の発光装置であって、
Φｅｌｍ（λ）を有する光は下記条件５〜条件７の少なくとも１つを満たし、φＳＳＬ（λ）を有する光は下記条件５〜条件７のうち前記Φｅｌｍ（λ）を有する光が満たさない条件があれば、そのうち少なくとも１つを満たすことを特徴とする発光装置。
条件５：
対象となる光の分光分布φ（λ）において、前記φＢＭ−ｍａｘを与える波長λＢＭ−ｍａｘが、
４３０（ｎｍ）  ≦  λＢＭ−ｍａｘ  ≦  ４８０（ｎｍ）
である。
条件６：
対象となる光の分光分布φ（λ）は
０．１８００  ≦  φＢＧ−ｍｉｎ／φＲＭ−ｍａｘ  ≦  ０．８５００
である。
条件７：
対象となる光の分光分布φ（λ）から導出される波長３８０ｎｍ以上７８０ｎｍ以下の範囲の放射効率Ｋ（ｌｍ／Ｗ）が
２１０．０  ｌｍ／Ｗ  ≦  Ｋ  ≦  ２９０．０  ｌｍ／Ｗ
である。
【請求項２６】
請求項１〜１９のいずれか１項に記載の発光装置であって、
Φｅｌｍ（λ）を有する光は下記条件５〜条件８の全てを満たし、かつ、φＳＳＬ（λ）を有する光も下記条件５〜条件８の全てを満たすことを特徴とする発光装置。
条件５：
対象となる光の分光分布φ（λ）において、前記φＢＭ−ｍａｘを与える波長λＢＭ−ｍａｘが、
４３０（ｎｍ）  ≦  λＢＭ−ｍａｘ  ≦  ４８０（ｎｍ）
である。
条件６：
対象となる光の分光分布φ（λ）は
０．１８００  ≦  φＢＧ−ｍｉｎ／φＲＭ−ｍａｘ  ≦  ０．８５００
である。
条件７：
対象となる光の分光分布φ（λ）から導出される波長３８０ｎｍ以上７８０ｎｍ以下の範囲の放射効率Ｋ（ｌｍ／Ｗ）が
２１０．０  ｌｍ／Ｗ  ≦  Ｋ  ≦  ２９０．０  ｌｍ／Ｗ
である。
条件８：
対象となる光の相関色温度Ｔ（Ｋ）が
２６００  Ｋ  ≦  Ｔ  ≦  ７７００  Ｋ
である。
【請求項２７】
請求項１〜２６のいずれか１項に記載の発光装置であって、
前記発光要素として、さらに緑色蛍光体を有することを特徴とする発光装置。
【請求項２８】
請求項１〜２７のいずれか１項に記載の発光装置であって、
前記発光要素として、さらに赤色蛍光体を有することを特徴とする発光装置。
【請求項２９】
請求項２７又は２８に記載の発光装置であって、
前記緑色蛍光体は、前記緑色蛍光体単体の光励起時の発光強度最大値を与える波長λＰＨＯＳ−ＧＭ−ｍａｘが５１１ｎｍ以上５４３ｎｍ以下であり、
その半値全幅ＷＰＨＯＳ−ＧＭ−ｆｗｈｍが９０ｎｍ以上１１０ｎｍ以下であることを特徴とする発光装置。
【請求項３０】
請求項２８又は２９に記載の発光装置であって、
前記赤色蛍光体は、前記赤色蛍光体単体の光励起時の発光強度最大値を与える波長λＰＨＯＳ−ＲＭ−ｍａｘが６２２ｎｍ以上６６３ｎｍ以下であり、
その半値全幅ＷＰＨＯＳ−ＲＭ−ｆｗｈｍが８０ｎｍ以上１０５ｎｍ以下であることを特徴とする発光装置。
【請求項３１】
請求項２７〜３０のいずれか１項に記載の発光装置であって、
前記緑色蛍光体は、Ｃａ３（Ｓｃ，Ｍｇ）２Ｓｉ３Ｏ１２：Ｃｅ（ＣＳＭＳ蛍光体）、ＣａＳｃ２Ｏ４：Ｃｅ（ＣＳＯ蛍光体）、Ｌｕ３Ａｌ５Ｏ１２：Ｃｅ（ＬｕＡＧ蛍光体）、またはＹ３（Ａｌ，Ｇａ）５Ｏ１２：Ｃｅ（Ｇ−ＹＡＧ蛍光体）であることを特徴とする発光装置。
【請求項３２】
請求項２８〜３１のいずれか１項に記載の発光装置であって、
前記赤色蛍光体は（Ｓｒ，Ｃａ）ＡｌＳｉＮ３：Ｅｕ（ＳＣＡＳＮ蛍光体）、（ＣａＡｌＳｉＮ３）１−ｘ（Ｓｉ２Ｎ２Ｏ）ｘ：Ｅｕ（ただし、ｘは０＜ｘ＜０．５）（ＣＡＳＯＮ蛍光体）、またはＣａＡｌＳｉＮ３：Ｅｕ（ＣＡＳＮ蛍光体）を含むことを特徴とする発光装置。
【請求項３３】
請求項２８〜３２のいずれか１項に記載の発光装置であって、
前記青色半導体発光素子は、前記青色半導体発光素子単体のパルス駆動時のドミナント波長λＣＨＩＰ−ＢＭ−ｄｏｍが４５２．５ｎｍ以上４７０ｎｍ以下であるＡｌＩｎＧａＮ系発光素子であり、
前記緑色蛍光体は、前記緑色蛍光体単体の光励起時の発光強度最大値を与える波長λＰＨＯＳ−ＧＭ−ｍａｘが５１５ｎｍ以上５３５ｎｍ以下で、その半値全幅ＷＰＨＯＳ−ＧＭ−ｆｗｈｍが９０ｎｍ以上１１０ｎｍ以下であることを特徴とする、ＣａＳｃ２Ｏ４：Ｃｅ（ＣＳＯ蛍光体）またはＬｕ３Ａｌ５Ｏ１２：Ｃｅ（ＬｕＡＧ蛍光体）であり、
前記赤色蛍光体は、前記赤色蛍光体単体の光励起時の発光強度最大値λＰＨＯＳ−ＲＭ−ｍａｘを与える波長が６４０ｎｍ以上６６３ｎｍ以下で、その半値全幅ＷＰＨＯＳ−ＲＭ−ｆｗｈｍが８０ｎｍ以上１０５ｎｍ以下であることを特徴とする、（ＣａＡｌＳｉＮ３）１−ｘ（Ｓｉ２Ｎ２Ｏ）ｘ：Ｅｕ（ただし、ｘは０＜ｘ＜０．５）（ＣＡＳＯＮ蛍光体）またはＣａＡｌＳｉＮ３：Ｅｕ（ＣＡＳＮ蛍光体）である
ことを特徴とする発光装置。
【請求項３４】
請求項２７〜３３のいずれか１項に記載の発光装置であって、
前記緑色蛍光体は、狭帯域緑色蛍光体であることを特徴とする発光装置。
【請求項３５】
請求項１〜３４のいずれか１項に記載の発光装置が、パッケージ化ＬＥＤ、チップオンボード型ＬＥＤ、ＬＥＤモジュール、ＬＥＤ電球、ＬＥＤ照明器具、またはＬＥＤ照明システムであることを特徴とする発光装置。
【手続補正２】
【補正対象書類名】明細書
【補正対象項目名】０２７１
【補正方法】変更
【補正の内容】
【０２７１】
その他、下記一般式（１０）で表される蛍光体、および下記一般式（１１）で表される蛍光体も挙げられる。
（Ｌａ１−ｘ−ｙＥｕｘＬｎｙ）２Ｏ２Ｓ    （１０）
（一般式（１０）において、ｘ及びｙはそれぞれ０．０２≦ｘ≦０．５０及び０≦ｙ≦０．５０を満たす数を表し、ＬｎはＹ、Ｇｄ、Ｌｕ、Ｓｃ、Ｓｍ及びＥｒの少なくとも１種の３価希土類元素を表す。）（一般式（１０）で表される酸硫化ランタン蛍光体をＬＯＳ蛍光体と呼ぶ。）
（ｋ−ｘ）ＭｇＯ・ｘＡＦ２・ＧｅＯ２：ｙＭｎ４＋    （１１）
（一般式（１１）において、ｋ、ｘ、ｙは、各々、２．８≦ｋ≦５、０．１≦ｘ≦０．７、０．００５≦ｙ≦０．０１５を満たす数を表し、Ａはカルシウム（Ｃａ）、ストロンチウム（Ｓｒ）、バリウム（Ｂａ）、亜鉛（Ｚｎ）、またはこれらの混合物である。）（一般式（１１）で表されるジャーマネート蛍光体をＭＧＯＦ蛍光体と呼ぶ。）